(57)【要約】【課題】取付が容易に行えて、外観品質を向上させつつ、交換時の施工性も良好な窓枠の取付構造を提供する。【解決手段】窓枠本体２６を装着する外壁開口部２４内周に段差部２５ａ，２５ｂ等を設け、窓枠本体２６の周縁に一体に形成された耳部３０，３８等を段差部２５ａ等の外側面に当接させて、耳部３０を段差部２５ａに固定し、更に、窓枠本体２６と外壁開口部２４周縁との間を隠す為の化粧カバー部材４２を外壁開口部２４周縁に位置する外表面縁部２２ｋに装着する。【選択図】　図１
2004100216.tif 000002
【特許請求の範囲】
【請求項１】
窓枠本体を装着する外壁開口部内周に段差部を設け、窓枠本体の周縁に一体に形成された耳部を該段差部の外側面に当接させて、該耳部を該段差部に固定し、更に、前記窓枠本体と前記外壁開口部周縁との間を隠す為の化粧カバー部材を該外壁開口部周縁に位置する外装材縁部に装着することを特徴とする窓枠の取付構造。
【請求項２】
前記窓枠本体を脱着可能に構成すると共に、前記化粧カバー部材を脱着可能に構成して、該窓枠本体及び前記化粧カバー部材が装着された状態では、前記段差部を覆うことを特徴とする請求項１記載の窓枠の取付構造。
【請求項３】
前記段差部は、奥行き寸法の異なる木桟を並設して形成されることを特徴とする請求項１又は２記載の窓枠の取付構造。
【発明の詳細な説明】
【０００１】
【発明の属する技術分野】
本発明は、取付が容易に行えて、外観品質を向上させつつ、交換時の施工性も良好な窓枠の取付構造に関する。
【０００２】
【従来の技術】
従来、図３に示すような建物に用いられる窓枠の取付構造が知られている（例えば、特許文献１参照）。
【０００３】
このような窓枠の取付構造では、建物本体１の外壁部２が、主に外壁ボード２ａ及びこの外壁ボード２ａの外側面２ｂに貼設される複数の外装材としてのＡＬＣ板３，３によって構成されている。
この外壁部２の一部には、正面視略矩形状に開口する外壁開口部４が形成されている。
【０００４】
この外壁開口部４には、上枠４ａ，４ｂ及び下枠４ｃが設けられていると共に、外付けサッシ７の上枠体７ａが、これらの上枠４ａ，４ｂと外側面２ｂとに跨ると共に、この外付けサッシ７の下枠体７ｂが、下枠４ｃと、前記外側面２ｂとの間に跨って装着されている。
【０００５】
このうち、前記上枠体７ａは、上側に向けて一体に突設された上側フランジ部７ｃを前記外壁ボード２ａとＡＬＣ板６との間に介装させて固定されている。
【０００６】
このように構成された従来の窓枠の取付構造では、前記外壁開口部４に前記外付けサッシ７が装着される際、前記上側フランジ部７ｃを前記外壁ボード２ａに固定した上から前記ＡＬＣ板３が装着される。
【０００７】
次に、前記上，下枠体７ａ，７ｂと前記ＡＬＣ板６の端面との間にバックアップ材８，８が圧入されると共に、シール材９，９が充填される。
【０００８】
下枠体７ｂと下側の前記ＡＬＣ板３の上端面との間に介装されたバックアップ材８は、前記下枠体７ｂに一体に形成された突状片７ｄに、圧入方向で当接することにより、所定の位置で停止し、前記シール材９の充填を容易に行える。
【０００９】
また、図４に示すような建物に用いられる窓枠の取付構造が知られている（例えば、特許文献２参照）。
【００１０】
このような窓枠の取付構造では、建物本体１１の外壁部１２に形成された開口部１３周縁には、桟木１４が固定されている。
この桟木１４には、額縁１５が、釘等によって固定されている。
【００１１】
この開口部１３の内周面には、この額縁１５の上端部１５ａ及び前記桟木１４の側面１４ａに、サッシ１６の下枠体１６ａが、ビス１７，１７によって固定されている。
【００１２】
また、前記桟木１４の側面１４ａと、下枠体１６ａとの間には、シール材１８が介在されると共に、上面に形成される溝部２０には、充填シール材１９が充填されて、該サッシ１６周縁から雨水等が浸入しないように防水処理が施されている。
【００１３】
【特許文献１】
実開昭５９−１８１１９１号公報（第２頁〜第４頁、第３図）
【特許文献２】
実開平４−１１８９４号公報（第３頁、第１図）
【００１４】
【発明が解決しようとする課題】
しかしながら、上記従来の建物本体１では、前記外壁開口部４に前記外付けサッシ７が装着される際、前記上側フランジ部７ｃを前記外壁ボード２ａに固定した上から前記ＡＬＣ板３が装着されている。
【００１５】
このため、前記ＡＬＣ板３を剥がさなければ、前記外付けサッシ７を交換することが出来ず、交換時の施工性が良好であるとは言い難かった。
【００１６】
また、前記他の従来の建物本体１１では、前記桟木１４の側面１４ａと、下枠体１６ａとの間には、シール材１８が介在されて前記サッシ１６が装着されている。
【００１７】
このため、このサッシ１６が、建物本体１１の外側方へ向けて膨らむように変形してしまう虞があり、気密性、防水性を損なう虞があった。
【００１８】
そこで、本発明は、上記の問題に鑑みて為されたものであり、取付が容易に行えて、外観品質を向上させつつ、交換時の施工性も良好な窓枠の取付構造を提供することを課題とするものである。
【００１９】
【課題を解決するための手段】
上記課題を解決するために、請求項１に記載のものでは、窓枠本体を装着する外壁開口部内周に段差部を設け、窓枠本体の周縁に一体に形成された耳部を該段差部の外側面に当接させて、該耳部を該段差部に固定し、更に、前記窓枠本体と前記外壁開口部周縁との間を隠す為の化粧カバー部材を該外壁開口部周縁に位置する外装材縁部に装着する窓枠の取付構造を特徴としている。
【００２０】
このように構成された請求項１記載のものでは、外壁開口部内周に設けられた段差部の外側面に、窓枠本体の周縁に一体に形成された耳部を当接させると共に、該耳部が該段差部に固定される。
【００２１】
そして、更に、前記化粧カバー部材が、該外壁開口部周縁に位置する外装材縁部に装着されて、施工が完了する。
【００２２】
このため、取付が容易に行えると共に、前記化粧カバー部材が、前記窓枠本体と前記外壁開口部周縁との間を隠す為、外観品質も良好である。
【００２３】
更に、該化粧カバー部材を外すだけで、前記窓枠本体が、装脱着可能となるので、該窓枠本体の交換時の施工性も良好である。
【００２４】
また、請求項２に記載されたものでは、前記窓枠本体を脱着可能に構成すると共に、前記化粧カバー部材を脱着可能に構成して、該窓枠本体及び前記化粧カバー部材が装着された状態では、前記段差部を覆う請求項１記載の窓枠の取付構造を特徴としている。
【００２５】
このように構成された請求項２記載のものでは、窓枠本体及び前記化粧カバー部材が装着された状態で、前記段差部を覆う化粧カバー部材が、脱着可能に構成されているので、更に、前記窓枠本体の交換時の施工性が良好である。
【００２６】
また、前記化粧カバー部材で、防水構造を構成することにより、前記窓枠本体は、前記段差部に確実に固定できる。このため、該窓枠本体が、建物本体の外側方へ向けて膨らむように変形してしまう虞が無くなり、気密性、防水性を損なうことがない。
【００２７】
そして、請求項３に記載されたものでは、前記段差部は、奥行き寸法の異なる木桟を並設して形成される請求項１又は２記載の窓枠の取付構造を特徴としている。
【００２８】
このように構成された請求項３記載のものでは、前記段差部が、奥行き寸法の異なる木桟を並設して形成されているので、該段差部に前記耳部を固定する窓枠本体を、全体として前記外壁開口部内に引き込ませて装着できて、陰影感のある造形を可能として、造形の自由度を向上させることができると共に、外観品質も良好なものとすることができる。
【００２９】
【発明の実施の形態１】
以下、本発明の実施の形態１に係る窓枠の取付構造を図１及び図２を用いて説明する。なお、従来例と同一乃至均等な部分については、同一符号を付して説明する。
【００３０】
この実施の形態１に係る窓枠の取付構造では、図１，２に示すように、建物本体２１の外壁部２２が、主に外側構造用面材２２ａ，内側壁面材２２ｂ及びこれらの各面材２２ａ，２２ｂ間に介在されて両面材２２ａ，２２ｂ間に一定の間隔を形成する木桟２２ｃ等によって構成されている。
【００３１】
このうち、前記外側構造用面材２２ａの外側面には、支持枠体２２ｅを周縁に設けた外装材としての外壁ボード２２ｄが貼設されている。この外壁ボード２２ｄの外側面には、防水性塗料２２ｆが塗布されている。
そして、この外壁部２２の一部には、正面視略矩形状の外壁開口部２４が形成されている。
【００３２】
この外壁開口部２４の内周には、上，下，左，右の各端面にサッシ窓２７の窓枠本体２６を装着する段差部として、上，下段差部２５ａ，２５ｂ，左，右段差部２５ｃ，２５ｃが形成されている。
【００３３】
このうち、前記上段差部２５ａには、前記外壁部２２内部の木桟２２ｃと奥行き寸法の異なる木桟２８が、前記内側壁面材２２ｂの端縁に装着される額縁２９と並設されている。
【００３４】
この木桟２８の外側面２８ａは、つなぎ面材２２ｈ，２２ｉ，２２ｊを介して、前記外側構造用面材２２ａ上端及び支持枠体２２ｅに接続されている。
【００３５】
そして、この外側面２８ａには、前記つなぎ面材２２ｊを介して、前記窓枠本体２６の上縁側から上方に向けて突設された耳部３０が外側から当接されて、釘３１によって、この窓枠本体２６の上枠２６ａが固定されるように構成されている。
【００３６】
この実施の形態１では、更に、この窓枠本体２６の上枠２６ａが、ビス３２ａ，３２ｂによって各々前記木桟２８の下面側及び額縁２９の下面側に直接固定されている。
【００３７】
また、前記下段差部２５ｂでは、前記外壁部２２内部の木桟２２ｃと奥行き寸法の異なる木桟３５が、前記内側壁面材２２ｂの端縁に装着される額縁２９と並設されている。
【００３８】
この木桟３５の全体の奥行き寸法は、前記外壁部２２内部の木桟２２ｃの奥行き寸法と異なるように短く設定されている。
【００３９】
このうち、木桟３５の外側面３５ａは、つなぎ面材２２ｈ，２２ｉ，２２ｊを介して、木桟３９の上部，前記外側構造用面材２２ａ上端及び支持枠体２２ｅに接続されている。
【００４０】
そして、この外側面３５ａには、前記つなぎ面材２２ｊを介して、前記窓枠本体２６の下縁側から下方に向けて突設された耳部３８が外側から当接されて、釘３１によって、この窓枠本体２６の下枠２６ｂが固定されるように構成されている。
【００４１】
この実施の形態１では、更に、この窓枠本体２６の下枠２６ｂが、ビス３２ａ，３２ｂによって各々前記木桟３４の上面側及び額縁２９の上面側に直接固定されている。
【００４２】
また、この実施の形態１の前記左，右段差部２５ｃ，２５ｃも前記上段差部２５ａと略同様に構成されている。
【００４３】
すなわち、これらの左，右段差部２５ｃ，２５ｃでは、各々前記外壁部２２内部の木桟２２ｃと奥行き寸法の異なる木桟４０，４０が、前記内側壁面材２２ｂの端縁に装着される額縁２９と並設されている。
【００４４】
この木桟４０の外側面４０ａは、つなぎ面材２２ｈ，２２ｉ，２２ｊを介して、前記外側構造用面材２２ａの左，右内側端及び支持枠体２２ｅに接続されている。
【００４５】
そして、この外側面４０ａには、前記つなぎ面材２２ｊを介して、前記窓枠本体２６の左，右縁側から左，右側方に向けて突設された耳部４１が外側から当接されて、釘３１によって、この窓枠本体２６の左，右枠２６ｃ，２６ｃが固定されるように構成されている。
【００４６】
この実施の形態１では、更に、この窓枠本体２６の左，右上枠２６ｃ，２６ｃが、ビス３２ａ，３２ｂによって各々前記木桟４０の内側面側及び額縁２９の内側面側に直接固定されている。
【００４７】
更に、この実施の形態１では、前記窓枠本体２６と前記外壁開口部２４周縁との間を隠す為の化粧カバー部材４２が、外壁開口部２４周縁に位置する外装材縁部としての外壁ボード２２ｄの外表面縁部２２ｋと、前記窓枠本体２６の外側フランジ部２６ｄとの間に跨るように、この外表面縁部２２ｋに対して、ビス部材４３…が用いられて装脱着可能に装着されている。
【００４８】
この化粧カバー部材４２のビス部材４３が挿通されるビス取付孔の周縁で、前記外表面縁部２２ｋに当接される位置には、シール材４４を、開口周縁略全周に渡って充填するシール材充填溝部４２ａが断面略コ字状に形成されていて、前記ビス部材４３の締め付け状態で、前記外表面縁部２２ｋとこの化粧カバー部材４２との間を前記シール材４４によって水密状態とするように構成されている。
【００４９】
また、これらのビス部材４３…の上部に開口形成されるビス挿通開口４２ｂには、各々蓋体４２ｃが、装脱着自在に係着されている。
【００５０】
そして、図１に示すように、この化粧カバー部材４２の下辺部では、前記ビス部材４３を覆うように、一定長さ外側方へ突設されるカバー庇部材４２ｄが、ビス４２ｅを用いて装脱着自在となるように係着されている。
【００５１】
また、この化粧カバー部材４２の内周縁フランジ部４２は、複数のビス部材４５によって装脱着可能となるように、前記窓枠本体２６の外周縁に形成される外側フランジ部２６ｄ外表面に固定されている。
【００５２】
このビス部材４５が挿通されるビス取付孔の周縁裏面側と、外側フランジ部２６ｄとの間には、断面略コ字状に形成されたシール保持溝４２ｇ内に充填されるシール材４６が、開口周縁略全周に渡って介在されて、前記ビス部材４５の締め付け状態で、これらの内周縁フランジ部４２ｆと、前記窓枠本体２６の外側フランジ部２６ｄとの間を水密状態とすると共に、前記窓枠本体２６及び前記化粧カバー部材４２が装着された状態では、前記各段差部２５ａ〜２５ｃが覆われるように構成されている。
【００５３】
次に、この実施の形態１の作用について説明する。
この実施の形態１では、建物本体２１の外壁開口部２４に、前記サッシ窓２７及び窓枠本体２６を装着する際、まず、建物本体２１の外壁開口部２４内周に設けられた上，下段差部２５ａ，２５ｂ及び左，右段差部２５ｃ，２５ｃの外側面２８ａ，３５ａ，４０ａに、窓枠本体２６の周縁に一体に形成された耳部３０，３８，４１，４１が、各々前記つなぎ面材２２ｊ…を介して当接されると共に、これらの耳部３０が、前記釘３１…等によって前記段差部２５ａ，２５ｂ，２５ｃ…に固定される。
これらの釘３１の頭部は、粘着テープ４７等で覆われる。
【００５４】
この実施の形態１では、更に、この窓枠本体２６の上枠２６ａが、釘３２ａ，３２ｂによって各々前記木桟２８の下面側及び額縁２９の下面側に直接固定されると共に、この窓枠本体２６の下枠２６ｂが、ビス３２ａ，３２ｂによって各々前記木桟３４の上面側及び額縁２９の上面側に直接固定される。
【００５５】
また、この窓枠本体２６の左，右上枠２６ｃ，２６ｃが、ビス３２ａ，３２ｂによって各々前記木桟４０の内側面側及び額縁２９の内側面側に直接固定される。
【００５６】
次に、前記化粧カバー部材４２が、前記外壁開口部２４周縁に位置する外壁ボード２２ｄの外表面縁部２２ｋと、前記窓枠本体２６の外側フランジ部２６ｄとの間に跨るように、この外表面縁部２２ｋに対して、ビス部材４３…が用いられて固定されると共に、前記内周縁フランジ部４２が、複数のビス部材４５…によって、前記窓枠本体２６の外周縁に形成される外側フランジ部２６ｄ外表面に固定される。
【００５７】
次に、これらのビス部材４３…の上部に開口形成されるビス挿通開口４２ｂに、各々蓋体４２ｃ…が、係着されると共に、この化粧カバー部材４２の下辺部では、一定長さ外側方へ突設されるカバー庇部材４２ｄが、ビス４２ｅを用いて係着されて、施工が完了する。
【００５８】
このように、前記建物本体２１への前記サッシ窓２７及び化粧カバー部材４２の取付が容易に行えると共に、前記化粧カバー部材４２が、前記窓枠本体２６と前記外壁開口部外表面縁部２２ｋとの間を隠す為、前記耳部３０…等が、釘３１…によって、前記段差部２５ａ等に固定されている部分が見えず、外観品質も良好である。
【００５９】
更に、前記化粧カバー部材４２は、外表面縁部２２ｋの上面側から、ビス部材４３…等によって固定されているので、この化粧カバー部材４２を外すことにより、前記窓枠本体２６が、前記耳部３０等を外側方に露出させて、装脱着可能となる。
【００６０】
このため、破損による交換や異種サッシへの交換が必要となった場合でも、この窓枠本体２６の交換施工性が、良好である。
【００６１】
また、窓枠本体２６及び前記化粧カバー部材４２が装着された状態で、前記段差部２５ａ，２５ｂ…を覆う化粧カバー部材４２が、脱着可能に構成されている。更に、前記窓枠本体２６と前記化粧カバー部材４２との間も前記ビス部材に４５…によって容易に分離できるので、新しい同種サッシや、異種サッシへの交換の必要性が生じた際にも、今まで使われて来た化粧カバー部材４２を使用できる。このため、更に、前記窓枠本体２６の交換時の施工性が良好である。
【００６２】
また、この実施の形態１では、前記化粧カバー部材４２で、防水構造が構成されている。
すなわち、前記ビス部材４３の締め付け状態で、前記外表面縁部２２ｋと、前記化粧カバー部材４２との間が、前記シール材４４によって、外壁開口部２４周縁の全周で水密状態となるようにシールされると共に、前記ビス部材４５の締め付け状態で、これらの内周縁フランジ部４２ｆと、前記窓枠本体２６の外側フランジ部２６ｄとの間が、窓枠本体２６の外周縁全周で水密状態となるようにシールされる。
【００６３】
このため、前記窓枠本体２６及び前記化粧カバー部材４２が装着された状態では、前記各段差部２５ａ〜２５ｃが覆われて、雨水が、これらの外壁開口部２４と窓枠本体２６との間から建物本体２１内部に浸入する虞がない。
【００６４】
従って、前記窓枠本体２６が、前記段差部２５ａ等に固定される部分でのシール施工を簡素化或いは省略出来、耳部３０等を直接、前記段差部２５ａ等に確実に固定できる。
【００６５】
このため、この窓枠本体２６が、建物本体２１の外側方へ向けて膨らむように変形してしまう虞が無くなり、気密性、防水性を損なうことがない。
【００６６】
更に、この実施の形態１では、前記シール材４４が、開口周縁略全周に渡って断面略コ字状に形成されるシール材充填溝部４２ａ内に充填されていて、前記ビス部材４３が、挿通されるので、締め付け状態で、このビス部材４３周囲に位置する。このため、ビス取付孔付近のシール性も良好であると共に、締め付け方向が、シール材４４の圧着方向と一致するので、更に、シール性を良好なものとすることが出来る。
【００６７】
また、前記シール材４６が、開口周縁略全周に渡って断面略コ字状に形成されるシール材充填溝部４２ａ内に充填されていて、前記ビス部材４３が、挿通されるので、締め付け状態で、このビス部材４３周囲に位置する。
【００６８】
このため、ビス取付孔付近のシール性も良好であると共に、締め付け方向が、シール材４４の圧着方向と一致するので、更に、シール性を良好なものとすることが出来る。
【００６９】
そして、前記上，下段差部２５ａ，２５ｂ及び左，右段差部２５ｃ，２５ｃが、奥行き寸法が、前記外壁部２２を構成する木桟２２ｃと異なる木桟２８，４３を並設して形成されているので、これらの段差部２５ａ等に前記耳部３０等が固定される窓枠本体２６が、全体として前記外壁開口部２４内に引き込まれた状態で装着出来る。
【００７０】
このため、陰影感のある造形を可能として、造形の自由度を向上させることができると共に、外観品質も良好なものとすることができる。
【００７１】
以上、実施の形態１を用いて本願発明に係る窓枠の取付構造を説明してきたが、本発明に係る窓枠の取付構造は、実施の形態１において示したものには、限定されない。
【００７２】
例えば、実施の形態１においては、耳部３０等を段差部２５ａ等の外側面に当接させて、これらの耳部３０等を、釘３１等を用いて前記段差部２５ａに固定するようにしているが、特にこれに限らず、ビス或いはボルト及びナット等の他の固定手段を用いて耳部３０等を前記段差部２５ａ等に固定するようにしてもよい。
【００７３】
【発明の効果】
以上説明してきたように、請求項１に記載された発明では、外壁開口部内周に設けられた段差部の外側面に、窓枠本体の周縁に一体に形成された耳部を当接させると共に、該耳部が該段差部に固定される。
そして、更に、前記化粧カバー部材が、該外壁開口部周縁に位置する外装材縁部に装着されて、施工が完了する。
【００７４】
このため、取付が容易に行えると共に、前記化粧カバー部材が、前記窓枠本体と前記外壁開口部周縁との間を隠す為、外観品質も良好である。
【００７５】
更に、該化粧カバー部材を外すだけで、前記窓枠本体が、装脱着可能となるので、該窓枠本体の交換時の施工性も良好である。
【００７６】
また、請求項２に記載されたものでは、窓枠本体及び前記化粧カバー部材が装着された状態で、前記段差部を覆う化粧カバー部材が、脱着可能に構成されているので、更に、前記窓枠本体の交換時の施工性が良好である。
【００７７】
また、前記化粧カバー部材で、防水構造を構成することにより、前記窓枠本体は、前記段差部に確実に固定できる。このため、該窓枠本体が、建物本体の外側方へ向けて膨らむように変形してしまう虞が無くなり、気密性、防水性を損なうことがない。
【００７８】
そして、請求項３に記載されたものでは、前記段差部が、奥行き寸法の異なる木桟を並設して形成されているので、該段差部に前記耳部を固定する窓枠本体を、全体として前記外壁開口部内に引き込ませて装着できて、陰影感のある造形を可能として、造形の自由度を向上させることができると共に、外観品質も良好なものとすることができる、という実用上有益な効果を発揮する。
【図面の簡単な説明】
【図１】本発明の実施の形態１に係る窓枠の取付構造で、要部の縦方向に沿った位置での断面図である。
【図２】実施の形態１に係る窓枠の取付構造で、要部の水平方向断面図である。
【図３】一従来例の窓枠の取付構造で、要部の縦方向断面図である。
【図４】他の従来例の窓枠の取付構造で、窓枠の下枠体位置での構造を説明する縦方向断面図である。
【符号の説明】
２１　　　　　　　建物本体
２２ｃ，２８，３３，３４，３５，３９，４０　　木桟
２２ｄ　　　　　　外壁ボード（外装材）
２２ｋ　　　　　　外表面縁部（外装材縁部）
２４　　　　　　　外壁開口部
２５ａ　　　　　　（上）段差部
２５ｂ　　　　　　（下）段差部
２５ｃ，２５ｃ　　（左，右）段差部
２６　　　　　　　窓枠本体
３０，３８，４１　耳部
４２　　　　　　　化粧カバー部材
【図１】
2004100216.tif 000003
【図２】
2004100216.tif 000004
【図３】
2004100216.tif 000005
【図４】
2004100216.tif 000006